(57)【要約】【課題】基板の押さえ及びＤ−ＩＣの外部露出を防止することができる表示装置を提供する。【解決手段】表示パネルと、表示パネルの背面の一側に位置して、表示パネルを駆動する駆動回路と、表示パネル及び駆動回路を収納し、駆動回路が露出するように一定空間を有するスリット部１１４を備えたケース１１０とを備え、スリット部１１４の両終端は、表示パネルの下端部を支持し得る第１及び第２曲げ部１１６、１１８を備える。【選択図】図２
2008216981.tif 000002
【特許請求の範囲】
【請求項１】
表示パネルと、
前記表示パネルの背面の一側に位置して、前記表示パネルを駆動する駆動回路と、
前記表示パネル及び前記駆動回路を収納し、前記駆動回路を露出させるための一定空間を有するスリット部を含むケースと、を備え、
前記スリット部の両終端は、前記表示パネルの下端部を支持するスペーサを備えていることを特徴とする表示装置。
【請求項２】
前記スペーサは、曲げ部を備えることを特徴とする請求項１に記載の表示装置。
【請求項３】
前記スペーサは、前記表示パネルの下端部を支持する支持面と、前記支持面を支持する少なくとも一つの支持部とを含むことを特徴とする請求項１に記載の表示装置。
【請求項４】
前記スペーサは、前記ケースと一体に形成されることを特徴とする請求項１に記載の表示装置。
【請求項５】
前記表示パネルは、有機発光ダイオードパネルを含むことを特徴とする請求項１に記載の表示装置。
【発明の詳細な説明】
【技術分野】
【０００１】
この発明は、表示装置に関し、特に、基板の押さえ及びドライバ集積回路（以下、「Ｄ−ＩＣ（Ｄｒｉｖｅｒ−Ｉｎｔｅｇｒａｔｅｄ  Ｃｉｒｃｕｉｔ）」と称する）の外部露出を防止することができる表示装置に関する。
【背景技術】
【０００２】
平板ディスプレイ装置（Ｆｌａｔ  ｄｉｓｐｌａｙ  ｄｅｖｉｃｅ）のうち、低電圧駆動、軽量薄型、広視野角、そして高速応答などの長所によって、最近では、有機発光ダイオード（ＯＬＥＤ：Ｏｒｇａｎｉｃ  Ｌｉｇｈｔ  Ｅｍｉｔｔｉｎｇ  Ｄｉｏｄｅ）が注目されつつある。有機発光ダイオードは、駆動方式によって受動型（パッシブマトリクス）ＯＬＥＤと、能動型（アクティブマトリクス）ＯＬＥＤとに分けられる。この中で、受動型ＯＬＥＤは、製造過程は簡単であるが、ディスプレイ面積及び解像度が増加するほど消費電力が急激に増加するという問題がある。したがって、受動型ＯＬＥＤは、主に小型ディスプレイ装置に応用されている。これに対し、能動型ＯＬＥＤは、製造過程は複雑であるが、大画面と高解像度とを実現することができるという長所がある。
【０００３】
有機発光ダイオードは、画像を表示する有機発光ダイオードパネル（ＯＬＥＤパネル）と、有機発光ダイオードパネルを駆動する駆動回路（例えば、Ｄ−ＩＣ）と、有機発光ダイオードパネルと駆動回路とを保護する保護構造からなっている。通常、駆動回路は、プリント回路基板（ＰＣＢ）上に多数の回路素子が実装されて構成され、有機発光ダイオードパネルの背面に設けられる。詳細には、駆動回路は、有機発光ダイオードパネルの背面の下端部に設けられる。
【０００４】
有機発光ダイオードパネルと、有機発光ダイオードパネルの背面に設けられた駆動回路とは、保護構造により保護される。保護構造は、有機発光ダイオードパネルを支持するガイドパネルと、有機発光ダイオードパネルと駆動回路とを取り囲むケースとを含んでいる。
【０００５】
従来では、有機発光ダイオードパネルと駆動回路とを取り囲むケースにおいて、駆動回路に対応する位置にスリット部を設け、駆動回路が外部に露出するようにして、有機発光ダイオードをスリム化している。
【発明の開示】
【発明が解決しようとする課題】
【０００６】
駆動回路がケースにより取り囲まれず外部に露出することによって、有機発光ダイオードがスリム化されているが、ケースの構造的な特徴により、駆動回路を露出させるスリット部と有機発光ダイオードパネルとの間に空き空間が生じる。外部からの力または圧力が有機発光ダイオードに加えられれば、この空き空間により、スリット部に対応する有機発光ダイオードパネルの下端部が押さえられるようになる。有機発光ダイオードパネルの下端部が押さえられると、有機発光ダイオードパネルの背面の下端部に位置する駆動回路がケースのスリット部の外に露出するという現象が発生する。駆動回路がケースのスリット部の外に露出することによって、駆動回路が誤動作する場合が発生し得る。また、有機発光ダイオードに加えられる外部からの力または圧力が強くなれば、有機発光ダイオードパネルの下端部が割れるという不良が発生し得る。
【０００７】
この発明は、上述の問題点に鑑みてなされたもので、その目的は、基板の押さえ及びＤ−ＩＣの外部露出を防止することができる表示装置を提供することにある。
【課題を解決するための手段】
【０００８】
上記の目的を達成すべく、この発明による表示装置は、表示パネルと、表示パネルの背面の一側に位置して、表示パネルを駆動する駆動回路と、表示パネル及び駆動回路を収納し、駆動回路を露出させるための一定空間を有するスリット部を含むケースとを備え、スリット部の両終端は、表示パネルの下端部を支持するスペーサを備えている。
【発明の効果】
【０００９】
この発明による表示装置は、駆動回路が外部に露出しないように挿入されるスリット部と、スリット部の両終端に表示パネルの一部分が支持される曲げ部を含むケースとを備えている。これにより、外部からの力または圧力が表示装置に加えられても、表示パネルが押さえられる現象を防止することができる。
【００１０】
また、この発明による表示装置は、表示パネルが押さえられないので、表示パネルの一側に設置された駆動回路がケースのスリット部の外に露出することを防止することができる。
【発明を実施するための最良の形態】
【００１１】
実施の形態１．
図１は、この発明の実施の形態１に係る表示装置の分解斜視図である。
図１に示すように、この発明による表示装置は、画像を表示する表示パネル１０２と、表示パネル１０２の背面に位置し、表示パネル１０２を駆動する駆動回路１０４と、表示パネル１０２の一側に接続され、外部のシステムから提供された各種制御信号及び映像信号を駆動回路１０４に伝達するフレキシブル回路基板（ＦＰＣ：Ｆｌｅｘｉｂｌｅ  ｐｒｉｎｔｅｄ  ｃｉｒｃｕｉｔｓ）１１２と、表示パネル１０２を支持するガイドパネル１０８と、表示パネル１０２とガイドパネル１０８を取り囲むケース１１０と、表示パネル１０２をケース１１０に固定するための両面テープ１０６とからなっている。
【００１２】
表示パネル１０２は、有機発光ダイオードパネル（ＯＬＥＤパネル）からなる。表示パネル１０２は、絶縁基板と、絶縁基板上に形成されている発光部と、発光部を覆っている保護層と、保護層に付着されている保護基板とを備える。発光部は、電子と正孔との再結合を用いて光を発生させ、低分子または高分子の有機物質からなっている。保護層と保護基板とは、外部の衝撃が発光部に伝えられるのを防止し、発光部を水分と空気から保護する。
【００１３】
この実施の形態において、表示パネル１０２は、発光部からの光が絶縁基板の方向にのみ放射されるボトムエミッション（ｂｏｔｔｏｍ  ｅｍｉｓｓｉｏｎ）方式を用いている。
【００１４】
駆動回路１０４は、プリント回路基板（ＰＣＢ：Ｐｒｉｎｔｅｄ  ｃｉｒｃｕｉｔ  ｂｏａｒｄ）上に多数の回路素子が実装されて構成され、例えばガラス基板等の表示パネル１０２の背面の一側に設けられる。駆動回路１０４は、フレキシブル回路基板１１２と接続され、フレキシブル回路基板１１２から提供された各種制御信号及び映像信号を用いて、表示パネル１０２を駆動する。
【００１５】
ガイドパネル１０８は、表示パネル１０２の側面を取り囲み、ケース１１０の内部に収納されて、表示パネル１０２がケース１１０の内部で固定されるように支持する。このとき、表示パネル１０２は、両面テープ１０６を介してケース１１０の内部に収納される。両面テープ１０６は、透明な材質からなっている。
【００１６】
ケース１１０の詳細については、図２にて説明する。
図２は、図１のケースを詳細に示した説明図である。
図１及び図２に示すように、この発明による表示装置のケース１１０は、その前面がディスプレイ領域を画定するために開放された収納空間を有している。これに対し、背面であるケース１１０の内部は、表示パネル（図１の符号１０２参照）を遮蔽する遮蔽領域と定義されている。上述のように、ケース１１０は、図１に示す表示パネル１０２が安定して収納されるように、収納空間を備えている。さらに、ケース１１０は、表示パネル１０２がケース１１０から離脱するのを防止するためのガイド部を備える。
【００１７】
遮蔽領域であるケース１１０の内部において、ケース１１０の一部分が除去され、一定部分空いた空き空間が形成されている。詳細には、ケース１１０の内部の一側には、一定部分空いた空き空間を有するスリット部１１４が形成されている。スリット部１１４は、ケース１１０の内部で表示パネル１０２の背面に設置されている駆動回路１０４と対応する位置に形成される。ケース１１０の内部に図１に示す表示パネル１０２が収納されると、スリット部１１４に、駆動回路１０４が外部に露出しないように挿入される。
【００１８】
スリット部１１４の両終端には、「Ｕ」字形状の第１及び第２曲げ部１１６、１１８が形成されている。第１及び第２曲げ部１１６、１１８は、ケース１１０の内部に位置し、ケース１１０と一体に形成される。
【００１９】
図３Ａは、この発明の実施の形態１に係る図２の第１曲げ部を詳細に示した説明図である。
第１曲げ部１１６は、図３Ａに示すように、「Ｕ」字形状からなっている。具体的には、第１曲げ部１１６は、ケース１１０の内部から延びている延長部１１６ｃと、延長部１１６ｃと対向し、図１に示す表示パネル１０２の一部分を支持する支持部１１６ａと、支持部１１６ａ及び延長部１１６ｃを繋ぐ繋ぎ部１１６ｂとからなっている。第１曲げ部１１６の繋ぎ部１１６ｂは、第１曲げ部１１６の「Ｕ」字形状に従って曲げられている。
【００２０】
このとき、第２曲げ部１１８も、第１曲げ部１１６と同じ構造からなっている。同じ構造からなっている第１及び第２曲げ部１１６、１１８は、スリット部１１４の両終端に互いに対称に配置されている。
【００２１】
ケース１１０の内部に表示パネル１０２が収納されると、表示パネル１０２の一側に設置された駆動回路１０４は、ケース１１０のスリット部１１４に挿入され、第１及び第２曲げ部１１６、１１８の支持部１１６ａ上に表示パネル１０２の一部分が支持される。したがって、第１及び第２曲げ部１１６、１１８と表示パネル１０２との間には、ギャップがないため、空き空間が存在しない。
【００２２】
上述のように、ケース１１０のスリット部１１４の空き空間には、駆動回路１０４が外部に露出しないように挿入される。また、スリット部１１４の両終端に形成された第１及び第２曲げ部１１６、１１８上には、駆動回路１０４が設置された表示パネル１０２の一部分が支持される。
【００２３】
外部からの力または圧力がケース１１０の内部に収納されている表示パネル１０２に加えられても、表示パネル１０２がケース１１０の第１及び第２曲げ部１１６、１１８上に空き空間なしに支持されるので、従来発生したような表示パネル１０２が押さえられる現象が発生しなくなる。また、表示パネル１０２が押さえられないので、表示パネル１０２の背面に設けられた駆動回路１０４が、ケース１１０のスリット部１１４の外に露出することがない。
【００２４】
第１及び第２曲げ部１１６、１１８の形状は、表示パネル１０２の一部分を支持し得る支持部を備えている場合であれば、多様な形態に変形できる。具体的には、第１及び第２曲げ部１１６、１１８は、表示パネル１０２上に駆動回路１０４が配置された部分を支持する支持面と、支持面を支持し得る少なくとも一つの支持部とを備えていてもよい。例えば、第１及び第２曲げ部１１６、１１８は、上述の「Ｕ」字形状や台形形状を含むことができる。
【００２５】
図３Ｂは、この発明の実施の形態１に係る図２の別の第１曲げ部を詳細に示した説明図である。
図２及び図３Ｂに示すように、実施の形態１による別の第１曲げ部２１６は、「コ」字形状からなることができる。第１曲げ部２１６は、上述のように、ケース１１０の内部から延びている延長部２１６ｃと、延長部２１６ｃと対向し、図１に示す表示パネル１０２の一部分を支持する支持部２１６ａと、支持部２１６ａ及び延長部２１６ｃを繋ぐ繋ぎ部２１６ｂとからなっている。第１曲げ部２１６の繋ぎ部２１６ｂは、第１曲げ部２１６の「コ」字形状に従って直線状になっている。繋ぎ部２１６ｂは、凹形状または凸形状のうちのいずれか一つを含むことができる。
【００２６】
図３Ｃは、図３Ａの表示装置を組み立てた様子を示した斜視図である。
図３Ｃに示すように、ケース１１０の内部には、表示パネル１０２が収納されている。また、表示パネル１０２の背面に設けられた駆動回路１０４は、ケース１１０のスリット部１１４に、外部に露出しないように挿入されている。また、表示パネル１０２の一側には、外部のシステムから各種制御信号及び映像信号が提供されるフレキシブル回路基板１１２が接続されている。フレキシブル回路基板１１２が外部のシステムから各種制御信号及び映像信号を提供されるので、駆動回路１０４は、フレキシブル回路基板１１２を介して各種制御信号及び映像信号を受信して、表示パネル１０２を駆動するようになる。
【００２７】
スリット部１１４の両終端に形成された第１及び第２曲げ部１１６、１１８上には、表示パネル１０２の背面の一側が支持される。したがって、表示パネル１０２とケース１１０の第１及び第２曲げ部１１６、１１８との間には、空き空間が存在しなくなる。
【００２８】
外部からの力または圧力がケース１１０の内部に収納されている表示パネル１０２に加えられても、表示パネル１０２がケース１１０の第１及び第２曲げ部１１６、１１８上に空き空間なしに支持されるので、従来発生したような表示パネル１０２が押さえられる現象が発生しなくなる。また、表示パネル１０２が押さえられないので、表示パネル１０２の背面に設けられた駆動回路１０４が、ケース１１０のスリット部１１４の外に露出することがない。また、表示パネル１０２が押さえられないので、画質の低下を防止することができるようになる。
【００２９】
上述したこの発明の好ましい実施の形態は、例示の目的のために開示されたものであり、この発明の属する技術の分野における通常の知識を有する者であれば、この発明の技術的思想を逸脱しない範囲内で、様々な置換、変形、及び変更が可能であり、このような置換、変更などは、特許請求の範囲に属するものである。
【図面の簡単な説明】
【００３０】
【図１】この発明の実施の形態１に係る表示装置の分解斜視図である。
【図２】図１のケースを詳細に示した説明図である。
【図３Ａ】この発明の実施の形態１に係る図２の第１曲げ部を詳細に示した説明図である。
【図３Ｂ】この発明の実施の形態１に係る図２の別の第１曲げ部を詳細に示した説明図である。
【図３Ｃ】図３Ａの表示装置を組み立てた様子を示した斜視図である。
【符号の説明】
【００３１】
１０２  表示パネル、１０４  Ｄ−ＩＣ（駆動回路）、１０６  両面テープ、１０８  ガイドパネル、１１０  ケース、１１２  ＦＰＣ、１１４  スリット部、１１６、２１６  第１曲げ部、１１８  第２曲げ部。
【図１】
2008216981.tif 000003
【図２】
2008216981.tif 000004
【図３Ａ】
2008216981.tif 000005
【図３Ｂ】
2008216981.tif 000006
【図３Ｃ】
2008216981.tif 000007